【手続補正書】
【提出日】平成30年8月22日(2018.8.22)
【手続補正１】
【補正対象書類名】明細書
【補正対象項目名】００１１
【補正方法】変更
【補正の内容】
【００１１】
上記した課題を解決するための請求項１に記載の発明は、被試験物に外力を付与する外力付与装置と組み合わされて、所定の試験を実施する環境試験装置において、空調部と、試験室を有し、前記空調部は内部の空気を所定の温度に調整するものであり、前記試験室には開閉扉があり、前記試験室は外壁で覆われており、前記外壁には外力付与装置の一部又はその付属品、被試験物の一部又はその付属品、外力付与装置と被試験物を繋ぐ部材の少なくともいずれかを挿通する貫通孔があり、前記試験室と空調部は連通し、前記試験室と空調部の間を一時的に遮蔽する遮蔽部材を有することを特徴とする環境試験装置である。
【手続補正２】
【補正対象書類名】明細書
【補正対象項目名】００１３
【補正方法】変更
【補正の内容】
【００１３】
また請求項２に記載の発明は、空調部と、試験室を有し、前記空調部は内部の空気を所定の温度に調整するものであり、前記試験室には開閉扉があり、前記試験室は外壁で覆われており、前記試験室と空調部は連通し、前記試験室と空調部の間を一時的に遮蔽する遮蔽部材を有することを特徴とする環境試験装置である。
【手続補正３】
【補正対象書類名】明細書
【補正対象項目名】００１５
【補正方法】変更
【補正の内容】
【００１５】
請求項３に記載の発明は、前記空調部は、空調機器が内蔵された空調通風路と、空気室を有し、前記空調通風路と前記空気室の間を空気が循環するものであり、前記空気室には前記試験室側に空気を導くダクトが設けられていることを特徴とする請求項１又は２に記載の環境試験装置である。
【手続補正４】
【補正対象書類名】明細書
【補正対象項目名】００２１
【補正方法】変更
【補正の内容】
【００２１】
請求項６に記載の発明は、前記空調部は、空調機器が内蔵された空調通風路と、空気室を有し、前記空調通風路と前記空気室の間を空気が循環するものであり、前記空調通風路の空気吹き出し部から吹き出された送風を集めて試験室側に導くダクトと、空調部側整流部材と、試験室側整流部材を有し、前記空調部側整流部材と、前記試験室側整流部材は前記遮蔽部材を挟んで対向する位置に配置されていることを特徴とする請求項１乃至５のいずれかに記載の環境試験装置である。
【手続補正５】
【補正対象書類名】明細書
【補正対象項目名】００２３
【補正方法】変更
【補正の内容】
【００２３】
請求項７に記載の発明は、前記試験室には内部を覗くことが可能な窓があり、当該窓は透明板が複数設けられた多重構造であって、前記透明板同士の間に乾燥気体が導入されることを特徴とする請求項１乃至６のいずれかに記載の環境試験装置である。
【手続補正６】
【補正対象書類名】明細書
【補正対象項目名】００２５
【補正方法】変更
【補正の内容】
【００２５】
請求項８に記載の発明は、前記空調部には乾燥気体が導入され、前記空調部内を正圧傾向に保つことが可能であることを特徴とする請求項１乃至７のいずれかに記載の環境試験装置である。
【手続補正７】
【補正対象書類名】明細書
【補正対象項目名】００２７
【補正方法】変更
【補正の内容】
【００２７】
請求項９に記載の発明は、前記空調部は開閉扉と、空調通風路と、空気室を有し、前記空調通風路と前記空気室の間を空気が循環するものであって独立して環境試験装置として使用することが可能であり、前記空調部の開閉扉に前記試験室が取り付けられていることを特徴とする請求項１乃至８のいずれかに記載の環境試験装置である。
【手続補正８】
【補正対象書類名】明細書
【補正対象項目名】００５７
【補正方法】変更
【補正の内容】
【００５７】
枠状部材７６の上辺を構成する枠片４３ａには貫通孔６ａ，６ｂが設けられている。また枠状部材７６の下辺を構成する枠片４３ｃにも貫通孔８ａ，８ｂが設けられている。
上辺を構成する枠片４３ａに設けられた貫通孔６ａ，６ｂは、ガラス４２ａ、４２ｂ、４２ｃによって挟まれた空間４４ａ、４４ｂに開口している。具体的には、貫通孔６ａは、ガラス４２ａとガラス４２ｂの間に形成される空間４４ａに開口し、貫通孔６ｂは、ガラス４２ｂとガラス４２ｃの間に形成される空間４４ｂに開口する。
同様に、下辺を構成する枠片４３ｃに設けられた貫通孔８ａ，８ｂは、ガラス４２ａ、４２ｂ、４２ｃによって挟まれた空間４４に開口している。具体的には、貫通孔８ａは、ガラス４２ａとガラス４２ｂの間に形成される空間４４ａに開口し、貫通孔８ｂは、ガラス４２ｂとガラス４２ｃの間に形成される空間４４ｂに開口する。
【手続補正９】
【補正対象書類名】特許請求の範囲
【補正対象項目名】全文
【補正方法】変更
【補正の内容】
【特許請求の範囲】
【請求項１】
被試験物に外力を付与する外力付与装置と組み合わされて、所定の試験を実施する環境試験装置において、
空調部と、試験室を有し、
前記空調部は内部の空気を所定の温度に調整するものであり、
前記試験室には開閉扉があり、前記試験室は外壁で覆われており、前記外壁には外力付与装置の一部又はその付属品、被試験物の一部又はその付属品、外力付与装置と被試験物を繋ぐ部材の少なくともいずれかを挿通する貫通孔があり、
前記試験室と空調部は連通し、前記試験室と空調部の間を一時的に遮蔽する遮蔽部材を有することを特徴とする環境試験装置。
【請求項２】
空調部と、試験室を有し、
前記空調部は内部の空気を所定の温度に調整するものであり、
前記試験室には開閉扉があり、前記試験室は外壁で覆われており、
前記試験室と空調部は連通し、前記試験室と空調部の間を一時的に遮蔽する遮蔽部材を有することを特徴とする環境試験装置。
【請求項３】
前記空調部は、空調機器が内蔵された空調通風路と、空気室を有し、前記空調通風路と前記空気室の間を空気が循環するものであり、
前記空気室には試験室側に空気を導くダクトが設けられていることを特徴とする請求項１又は２に記載の環境試験装置。
【請求項４】
前記遮蔽部材の近傍であって前記空調部側に空調部側整流部材が設けられていることを特徴とする請求項１乃至３のいずれかに記載の環境試験装置。
【請求項５】
前記遮蔽部材の近傍であって前記試験室側に試験室側整流部材が設けられていることを特徴とする請求項１乃至４のいずれかに記載の環境試験装置。
【請求項６】
前記空調部は、空調機器が内蔵された空調通風路と、空気室を有し、前記空調通風路と前記空気室の間を空気が循環するものであり、
前記空調通風路の空気吹き出し部から吹き出された送風を集めて試験室側に導くダクトと、空調部側整流部材と、試験室側整流部材を有し、
前記空調部側整流部材と、前記試験室側整流部材は前記遮蔽部材を挟んで対向する位置に配置されていることを特徴とする請求項１乃至５のいずれかに記載の環境試験装置。
【請求項７】
前記試験室には内部を覗くことが可能な窓があり、当該窓は透明板が複数設けられた多重構造であって、前記透明板同士の間に乾燥気体が導入されることを特徴とする請求項１乃至６のいずれかに記載の環境試験装置。
【請求項８】
前記空調部には乾燥気体が導入され、前記空調部内を正圧傾向に保つことが可能であることを特徴とする請求項１乃至７のいずれかに記載の環境試験装置。
【請求項９】
前記空調部は開閉扉と、空調通風路と、空気室を有し、前記空調通風路と前記空気室の間を空気が循環するものであって独立して環境試験装置として使用することが可能であり、
前記空調部の開閉扉に前記試験室が取り付けられていることを特徴とする請求項１乃至８のいずれかに記載の環境試験装置。